(57)【特許請求の範囲】
【請求項１】
映像フレームにＯＳＤ画像を重畳して生成された合成映像フレームに対して動きベクトルに基づくフレーム補間処理を行うことにより、フレームレートを変換するフレームレート変換部と、
マスク生成部と、
前記フレームレート変換部により変換された合成映像フレームに基づいて映像表示を行う表示部と
を備え、
前記フレームレート変換部が、前記ＯＳＤ画像の領域を示すＯＳＤ領域情報に基づき、前記フレーム補間処理を前記合成映像フレームの１または複数の画素ごとに選択的に行い、
前記ＯＳＤ領域情報は、前記合成映像フレームの１または複数の画素ごとに対応づけられたフラグ信号であり、
前記マスク生成部は、前記フラグ信号に基づいてマスク領域を生成し、
前記フレームレート変換部は、前記合成映像フレームのうちの、前記マスク領域以外の領域に対して前記フレーム補間処理を行い、
前記マスク領域は、前記ＯＳＤ画像の領域より狭い
映像表示装置。
【請求項２】
前記ＯＳＤ領域情報は、前記ＯＳＤ画像の領域の座標情報である
請求項１に記載の映像表示装置。
【請求項３】
前記合成映像フレームに加え、前記ＯＳＤ領域情報を生成する重畳部をさらに備えた、
請求項１に記載の映像表示装置。
【請求項４】
前記マスク生成部は、供給された調整設定情報に基づいて前記マスク領域の広さを調整して生成する
請求項１に記載の映像表示装置。
【請求項５】
前記マスク生成部は、複数の画素からなる画素ブロックを単位として前記マスク領域を生成し、
前記フレームレート変換部は、前記フレーム補間処理を前記画素ブロックごとに選択的に行う
請求項１に記載の映像表示装置。
【請求項６】
前記マスク生成部は、前記画素ブロックのそれぞれに含まれている前記ＯＳＤ画像の画素数を画素数しきい値と比較することにより、マスク領域を調整し生成する
請求項５に記載の映像表示装置。
【請求項７】
前記マスク生成部は、各画素ブロックに含まれている前記ＯＳＤ画像の画素数が、その画素ブロックの画素数と等しいときに、その画素ブロックをマスク領域として設定する
請求項６に記載の映像表示装置。
【請求項８】
前記重畳部は、前記合成映像フレームと前記ＯＳＤ領域情報とを多重化して出力する
請求項３に記載の映像表示装置。
【請求項９】
前記ＯＳＤ領域情報は、前記合成映像フレームの１または複数の画素ごとに対応づけられたフラグ信号であり、
前記合成映像フレームと前記フラグ信号とが画素ごとに時分割多重されている
請求項８に記載の映像表示装置。
【請求項１０】
映像フレームにＯＳＤ画像を重畳して生成された合成映像フレームに対して動きベクトルに基づくフレーム補間処理を行うことにより、フレームレートを変換するフレームレート変換部と、
マスク生成部と
を備え、
前記フレームレート変換部が、前記ＯＳＤ画像の領域を示すＯＳＤ領域情報に基づき、
前記フレーム補間処理を前記合成映像フレームの１または複数の画素ごとに選択的に行い、
前記ＯＳＤ領域情報は、前記合成映像フレームの１または複数の画素ごとに対応づけられたフラグ信号であり、
前記マスク生成部は、前記フラグ信号に基づいてマスク領域を生成し、
前記フレームレート変換部は、前記合成映像フレームのうちの、前記マスク領域以外の領域に対して前記フレーム補間処理を行い、
前記マスク領域は、前記ＯＳＤ画像の領域より狭い
フレームレート変換装置。
【請求項１１】
映像フレームにＯＳＤ画像を重畳して生成された合成映像フレームに対して、前記ＯＳＤ画像の領域を示すＯＳＤ領域情報に基づき、動きベクトルに基づくフレーム補間処理を前記合成映像フレームの１または複数の画素ごとに選択的に行うことによりフレームレートを変換し、
前記フレームレートを変換することにより生成された合成映像フレームに基づいて映像表示を行い、
前記フレームレートを変換する際、前記合成映像フレームの１または複数の画素ごとに対応づけられたフラグ信号であるＯＳＤ領域情報に基づいて、前記ＯＳＤ画像の領域より狭いマスク領域を生成し、前記合成映像フレームのうちの、前記マスク領域以外の領域に対して前記フレーム補間処理を行う
表示方法。
【発明の詳細な説明】
【技術分野】
【０００１】
本発明は、ＯＳＤ画面を生成する機能を有する映像表示装置、フレームレート変換装置、および表示方法に関する。
【背景技術】
【０００２】
近年、電子機器の高機能化に伴い、電子機器の設定をＯＳＤ（On-Screen Display）により行う方法が普及してきている。この方法を、例えばテレビジョン受信機やＤＶＤ（登録商標）プレーヤ等の映像表示装置に対して適用した場合には、映像表示装置は、設定を行うためのメニュー画面（ＯＳＤ画面）を映像情報に重畳して表示することとなる（例えば特許文献１など）。これにより、ユーザは、そのメニュー画面に従って映像表示装置の設定を行うことにより、より簡単に設定を行うことができるようになっている。
【０００３】
一方、映像表示装置における画質向上のための映像信号処理の一つに、フレーム補間を用いたフレームレート変換がある。このフレームレート変換は、入力された映像の隣接するフレームを補間した補間フレームを生成し、入力された映像にその補間フレームを追加するものである（例えば、特許文献２など）。これにより、表示された映像は、より滑らかな映像になるとともに、例えば液晶表示装置の場合に画素の状態が１フレームの間保持し続けることに起因するいわゆる動きボケが低減され、その画質が向上するようになる。
【先行技術文献】
【特許文献】
【０００４】
【特許文献１】特開２００５−１９２１９８号公報
【特許文献２】特開２０１０−５６６９４号公報
【発明の概要】
【発明が解決しようとする課題】
【０００５】
ところで、映像表示装置において、ＯＳＤ画面が既に重畳された映像情報に対してフレームレート変換を行う場合がある。この場合、例えば、ＯＳＤ画面が重畳される前の映像が動画である一方、ＯＳＤ画面が静止画であるときには、動画領域の補間と静止画領域の補間との違いにより、ＯＳＤ画面の境界付近においてエラーがある補間フレームが生成されるおそれがある。また、映像情報にＯＳＤ画面を透かして表示するように重畳した場合には、たとえＯＳＤ画面が静止画であっても、その背景に薄く表示された映像情報（動画）に応じて補間がなされるおそれがあり、この場合エラーがある補間フレームが生成されてしまう。また、ＯＳＤ画面が静止画であっても、そのＯＳＤ画面にノイズがある場合にはそのノイズに応じて補間が行われるため、ノイズがある補間フレームが生成されるおそれがある。
【０００６】
本発明はかかる問題点に鑑みてなされたもので、その目的は、ＯＳＤ画面が表示された際に、フレームレート変換に起因する映像のエラーやノイズを低減することができる映像表示装置、フレームレート変換装置、および表示方法を提供することにある。
【課題を解決するための手段】
【０００７】
本発明の映像表示装置は、フレームレート変換部と、マスク生成部と、表示部とを備えている。フレームレート変換部は、映像フレームにＯＳＤ画像を重畳して生成された合成映像フレームに対して動きベクトルに基づくフレーム補間処理を行うことにより、フレームレートを変換するものである。表示部は、フレームレート変換部により変換された合成映像フレームに基づいて映像表示を行うものである。上記フレームレート変換部は、ＯＳＤ画像の領域を示すＯＳＤ領域情報に基づき、フレーム補間処理を合成映像フレームの１または複数の画素ごとに選択的に行うものである。ＯＳＤ領域情報は、合成映像フレームの１または複数の画素ごとに対応づけられたフラグ信号であり、上記マスク生成部は、フラグ信号に基づいてマスク領域を生成するものである。上記フレームレート変換部は、合成映像フレームのうちの、マスク領域以外の領域に対してフレーム補間処理を行うものである。上記マスク領域は、ＯＳＤ画像の領域より狭いものである。
【０００８】
本発明のフレームレート変換装置は、フレームレート変換部と、マスク生成部とを備えている。フレームレート変換部は、映像フレームにＯＳＤ画像を重畳して生成された合成映像フレームに対して動きベクトルに基づくフレーム補間処理を行うことにより、フレームレートを変換するものである。上記フレームレート変換部は、ＯＳＤ画像の領域を示すＯＳＤ領域情報に基づき、フレーム補間処理を合成映像フレームの１または複数の画素ごとに選択的に行うものである。ＯＳＤ領域情報は、合成映像フレームの１または複数の画素ごとに対応づけられたフラグ信号であり、上記マスク生成部は、フラグ信号に基づいてマスク領域を生成するものである。上記フレームレート変換部は、合成映像フレームのうちの、マスク領域以外の領域に対してフレーム補間処理を行うものである。上記マスク領域は、ＯＳＤ画像の領域より狭いものである。
【０００９】
本発明の表示方法は、映像フレームにＯＳＤ画像を重畳して生成された合成映像フレームに対して、ＯＳＤ画像の領域を示すＯＳＤ領域情報に基づき、動きベクトルに基づくフレーム補間処理を合成映像フレームの１または複数の画素ごとに選択的に行うことによりフレームレートを変換し、フレームレートを変換することにより生成された合成映像フレームに基づいて映像表示を行うものである。フレームレートを変換する際、合成映像フレームの１または複数の画素ごとに対応づけられたフラグ信号であるＯＳＤ領域情報に基づいて、ＯＳＤ画像の領域より狭いマスク領域を生成し、合成映像フレームのうちの、マスク領域以外の領域に対してフレーム補間処理を行う。
【００１０】
本発明の映像表示装置、フレームレート変換装置、および表示方法では、ＯＳＤ画像が重畳された合成映像フレームに対して、動きベクトルに基づくフレーム補間処理が行われる。その際、フレーム補間処理は、ＯＳＤ領域情報に基づき、合成映像フレームの１または複数の画素ごとに選択的に行われる。
【００１１】
本発明の映像表示装置では、ＯＳＤ領域情報は、例えばＯＳＤ画像の領域の座標情報であってもよい。また、例えば、合成映像フレームに加え、ＯＳＤ領域情報を生成する重畳部をさらに備えていてもよい。
【００１３】
マスク生成部は、供給された調整設定情報に基づいてマスク領域の広さを調整して生成するようにしてもよい。マスク生成部は、例えば、複数の画素からなる画素ブロックを単位としてマスク領域を生成し、フレームレート変換部は、フレーム補間処理を画素ブロックごとに選択的に行うようにしてもよい。この場合、例えば、マスク生成部は、画素ブロックのそれぞれに含まれているＯＳＤ画像の画素数を画素数しきい値と比較することにより、マスク領域を調整し生成するようにしてもよい。この場合、マスク生成部は、例えば、各画素ブロックに含まれているＯＳＤ画像の画素数が、その画素ブロックの画素数と等しいときに、その画素ブロックをマスク領域として設定するようにしてもよい。
【００１４】
重畳部は、合成映像フレームとＯＳＤ領域情報とを多重化して出力するようにしてもよい。この場合、例えば、ＯＳＤ領域情報は、合成映像フレームの１または複数の画素ごとに対応づけられたフラグ信号であり、合成映像フレームとフラグ信号とが画素ごとに時分割多重されるのが望ましい。
【発明の効果】
【００１５】
本発明の映像表示装置、フレームレート変換装置、および表示方法によれば、ＯＳＤ領域情報に基づき、フレーム補間処理を１または複数の画素ごとに選択的に行うようにしたので、ＯＳＤ画面が表示された際に、フレームレート変換に起因する映像のエラーやノイズを低減することができる。
【図面の簡単な説明】
【００１６】
【図１】本発明の実施の形態に係る表示装置の一構成例を表すブロック図である。
【図２】本発明の実施の形態に係るＯＳＤフラグ信号の一例を表すタイミング波形図である。
【図３】本発明の実施の形態に係るフレームレート変換部に係るフレームレート変換の一例を説明する模式図である
【図４】第１の実施の形態に係るフレームレート変換部の一構成例を表すブロック図である。
【図５】第１の実施の形態に係る動きベクトル検出部およびフレーム補間部の一動作例を表す模式図である。
【図６】第１の実施の形態に係るＯＳＤマスク生成部の一構成例を表すブロック図である。
【図７】本発明の実施の形態に係る表示装置の表示画面の一例を表す図である。
【図８】第１の実施の形態に係るＯＳＤマスク生成部の一動作例を表す模式図である。
【図９】第１の実施の形態に係るＯＳＤマスク生成部の一動作例を表すタイミング波形図である。
【図１０】第１の実施の形態の変形例に係るＯＳＤマスク生成部の一構成例を表すブロック図である。
【図１１】第１の実施の形態の他の変形例に係るＯＳＤマスク生成部の一構成例を表すブロック図である。
【図１２】第１の実施の形態の他の変形例に係るＯＳＤマスク生成部の一動作例を表す模式図である。
【図１３】第１の実施の形態の他の変形例に係るＯＳＤマスク生成部の一構成例を表すブロック図である。
【図１４】第１の実施の形態の他の変形例に係る表示装置の一構成例を表すブロック図である。
【図１５】第１の実施の形態の他の変形例に係るＯＳＤフラグ付き映像信号の一例を表す波形図である。
【図１６】第１の実施の形態の他の変形例に係るＯＳＤマスク生成部の一構成例を表すブロック図である。
【図１７】第１の実施の形態の他の変形例に係るＯＳＤマスク生成部の一構成例を表すブロック図である。
【図１８】第２の実施の形態に係るフレームレート変換部の一構成例を表すブロック図である。
【図１９】第２の実施の形態に係る画素ブロックＢpixの一構成例を表すブロック図である。
【図２０】第２の実施の形態に係るＯＳＤマスク生成部の一構成例を表すブロック図である。
【図２１】第２の実施の形態に係るＯＳＤマスク生成部の一動作例を表す模式図である。
【図２２】第３の実施の形態に係るフレームレート変換部の一構成例を表すブロック図である。
【発明を実施するための形態】
【００１７】
以下、本発明の実施の形態について、図面を参照して詳細に説明する。なお、説明は以下の順序で行う。
１．第１の実施の形態
２．第２の実施の形態
３．第３の実施の形態
【００１８】
＜１．第１の実施の形態＞
［構成例］
（全体構成例）
図１は、本発明の第１の実施の形態に係る表示装置の一構成例を表すものである。なお、本発明の実施の形態に係るフレームレート変換装置および表示方法は、本実施の形態により具現化されるので、併せて説明する。
【００１９】
表示装置１は、チューナ１１と、ＭＰＥＧ（Moving Picture Experts Group）デコーダ１２と、映像信号処理部１４と、ＯＳＤ生成部１３と、フレームレート変換部２０と、映像処理部１５と、表示駆動部１６と、表示部１７とを備えている。
【００２０】
チューナ１１は、アンテナ１９において受信された放送波から、所望の信号（ストリーム）を選択するものである。ＭＰＥＧデコーダ１２は、チューナ１１において選択されたストリームから映像信号と音声信号とを抽出するようになっている。
【００２１】
ＯＳＤ生成部１３は、表示装置１の設定を行うためのＯＳＤ画面を生成するものである。さらに、このＯＳＤ生成部１３は、表示画面上におけるＯＳＤ画面を表示する画面領域を画素単位で示すＯＳＤフラグ信号Ｓｆを生成する機能を有している。
【００２２】
映像信号処理部１４は、ＭＰＥＧデコーダ１２において抽出された映像信号に対して、コントラスト強調、エッジ強調、インターレース／プログレッシブ変換、スケーリング（画サイズ変換）などの映像信号処理を施すとともに、その映像信号処理が施された映像に対して、ＯＳＤ生成部１３から供給されたＯＳＤ画面を重畳するように処理を行い、映像信号Ｓdispとして出力する機能を有している。
【００２３】
図２は、ＯＳＤフラグ信号Ｓｆの一例を表すものであり、（Ａ）は映像信号Ｓdispの波形を示し、（Ｂ）はＯＳＤフラグ信号Ｓｆの波形を示す。映像信号Ｓdispは、図２（Ａ）に示したように、赤（Ｒ）、緑（Ｇ）、青（Ｂ）の３つのサブ画素から構成される画素に対する画素信号Ｓpixを含んでいる。画素信号Ｓpixは、映像信号Ｓdispにおいて、画面の１ラインの左端の画素のものから順に配列しており、さらに、その１ライン分の画素信号Ｓpixが画面の上端のものから順に配列している。ＯＳＤフラグ信号Ｓｆは、ＯＳＤ画面を重畳する画素に係る画素信号Ｓpixが現れるタイミングに対応して、その信号がアクティブ（この例では高レベル）になるものである。
【００２４】
フレームレート変換部２０は、映像信号処理部１４から供給された映像信号Ｓdispに基づいて、フレームレート変換を行うものである。このフレームレート変換は、例えば毎秒６０フレームから、毎秒１２０フレームあるいは毎秒２４０フレームへ、フレームレートを高くするように変換するものである。このフレームレート変換を行う際、フレームレート変換部２０は、後述するように、ＯＳＤ生成部１３から供給されたＯＳＤフラグ信号Ｓｆに基づいて求められた画面領域（後述するＯＳＤマスク領域Ｒｍ）の外側の領域に対してのみフレーム補間処理（後述）を行うことにより、補間フレームを生成するようになっている。
【００２５】
図３は、フレームレート変換を模式的に表すものであり、（Ａ）はフレームレート変換前の映像を示し、（Ｂ）はフレームレート変換後の映像を示す。この例は、フレームレートを２倍に変換する場合を示している。フレームレート変換は、時間的に隣接するフレームＦの画像情報に基づいて補間フレームＦ２を生成し、それらのフレームＦの間にその補間フレームＦ２を挿入することにより行われる。例えば、図３（Ａ）に示したように、ボール９がフレームＦの左から右へ移動する映像の場合では、図３（Ｂ）に示したように、隣接するフレームＦの間に補間フレームＦ２を挿入することにより、ボール９がより滑らかに移動するようになる。また、例えば、表示部１７（後述）が液晶により構成される場合には、画素の状態が１フレームの間保持し続けることに起因するいわゆる動きボケが生じるが、この補間フレームＦ２を挿入することによりその影響を低減することができる。
【００２６】
映像処理部１５は、フレームレート変換部２０によりフレームレート変換された映像信号に対して、ガンマ処理やオーバードライブ処理などの所定の映像処理を施す機能を有している。表示駆動部１６は、映像処理部１５から供給された映像情報に基づいて、表示部１７を駆動するものである。表示部１７は、表示駆動部１６から供給される信号に基づいて、表示を行うようになっている。
【００２７】
（フレームレート変換部２０）
図４は、フレームレート変換部２０の一構成例を表すものである。フレームレート変換部２０は、フレームメモリ２１と、動きベクトル検出部２２と、フレーム補間部２３と、ＯＳＤマスク生成部４０とを備えている。
【００２８】
フレームメモリ２１は、供給される映像信号Ｓdispに含まれる１フレーム分の画像を保持することにより、１フレーム前の情報を出力する機能を有している。
【００２９】
動きベクトル検出部２２は、映像信号Ｓdispに含まれる１フレーム分の画像およびフレームメモリ２１から供給される１フレーム前の画像に基づいて、画像の変化を示す動きベクトル（後述）を検出するものである。フレーム補間部２３は、動きベクトル検出部２２から供給された動きベクトルに基づいて、この２つのフレームＦの画像情報を補間（フレーム補間処理）するものである。その際、このフレーム補間部２３は、後述するように、供給されるＯＳＤマスク信号Ｓｍが示すＯＳＤマスク領域Ｒｍの外側の部分に対してのみフレーム補間処理を行うようになっている。さらに、フレーム補間部２３は、このフレーム補間処理に基づいて補間フレームＦ２を生成し、その２つのフレームＦの間に挿入する機能を有している。
【００３０】
図５は、動きベクトル検出部２２およびフレーム補間部２３の一動作例を模式的に表すものであり、（Ａ）はフレーム補間前の状態を示し、（Ｂ）はフレーム補間後の状態を示す。図５（Ａ），（Ｂ）において、横軸は画面上の水平位置を示し、縦軸は時間を示す。
【００３１】
動きベクトル検出部２２は、図５（Ａ）に示したように、供給された２つのフレームＦの情報に基づいて、画素単位で表示内容の水平方向の動きを検出し、水平方向の動きベクトルＡを求める。なお、第２の実施の形態において後述するように、複数の画素からなるブロック単位で表示内容の動きを検出してもよい。そして、フレーム補間部２３は、図５（Ｂ）に示したように、動きベクトル検出部２２から供給された動きベクトルＡから、その半分に相当するベクトルＢを生成し、画素単位で画像情報の補間（フレーム補間処理）を行う。
【００３２】
以上では、表示内容の水平方向の動きを例に説明したが、垂直方向についても同様である。すなわち、動きベクトル検出部２２は、水平方向と垂直方向の両方について動きベクトルＡを求め、フレーム補間部２３は、これらの動きベクトルＡに基づいてフレーム補間処理を行って補間フレームＦ２を生成し、その２つのフレームＦの間に挿入する。このようにして、フレームレート変換部２０においてフレームレート変換が行われるようになっている。
【００３３】
なお、フレームレート変換の方法としては、一般に、２：３プルダウンや２：２プルダウンなどの方法が知られている。これらの方法の基本的な動作原理は、上述した方法と同様である。
【００３４】
ＯＳＤマスク生成部４０は、ＯＳＤ生成部１３から供給されたＯＳＤフラグ信号Ｓｆに基づいてＯＳＤマスク信号Ｓｍを生成するものである。具体的には、ＯＳＤマスク生成部４０は、後述するように、ＯＳＤ画面の画面領域を示すＯＳＤフラグ領域Ｒｆに基づいて、フレーム補間部２３に対してフレーム補間処理を行わない画面領域を示すＯＳＤマスク領域Ｒｍを生成するものである。ここで、ＯＳＤフラグ領域Ｒｆは、ＯＳＤフラグ信号Ｓｆがアクティブになっている画素の場所（領域）を画面上で表すものである。すなわち、ＯＳＤフラグ領域Ｒｆは、画面上におけるＯＳＤ画面の領域を示すものである。同様に、ＯＳＤマスク領域Ｒｍは、ＯＳＤマスク信号Ｓｍがアクティブになっている画素の場所を画面上で表すものである。
【００３５】
図６は、ＯＳＤマスク生成部４０の一構成例を表すものである。ＯＳＤマスク生成部４０は、ラインメモリ４１，４２と、Ｄ型フリップフロップ４３〜４８と、論理和回路４９とを備えている。
【００３６】
ラインメモリ４１，４２は、入力信号の１ライン分の情報を保持することにより、１ライン前の情報を出力する機能を有している。ラインメモリ４１の入力端子には、ＯＳＤフラグ信号Ｓｆが供給され、これにより、ラインメモリ４１は、供給されたＯＳＤフラグ信号Ｓｆの１ライン前の情報を出力するようになっている。ラインメモリ４２の入力端子は、ラインメモリ４１の出力端子に接続され、これにより、ラインメモリ４２は、供給されたＯＳＤフラグ信号Ｓｆの２ライン前の情報を出力するようになっている。
【００３７】
Ｄ型フリップフロップ４３〜４８は、入力信号の１画素分の情報を保持することにより、１画素前の情報を出力する機能を有している。Ｄ型フリップフロップ４３の入力端子にはＯＳＤフラグ信号Ｓｆが供給され、Ｄ型フリップフロップ４４の入力端子はＤ型フリップフロップ４３の出力端子に接続されている。Ｄ型フリップフロップ４５の入力端子はラインメモリ４１の出力端子が接続され、Ｄ型フリップフロップ４６の入力端子はＤ型フリップフロップ４５の出力端子に接続されている。Ｄ型フリップフロップ４７の入力端子はラインメモリ４２の出力端子が接続され、Ｄ型フリップフロップ４８の入力端子はＤ型フリップフロップ４７の出力端子に接続されている。
【００３８】
論理和回路４９は、入力信号の論理和を求めるものである。論理和回路４９の入力は、ＯＳＤフラグ信号Ｓｆが供給されるＯＳＤマスク生成部４０の入力端子、ラインメモリ４１，４２の出力端子、およびＤ型フリップフロップ回路４３〜４８の出力端子に接続されている。
【００３９】
この構成により、ＯＳＤマスク生成部４０は、後述するように、画面上において、ＯＳＤフラグ信号Ｓｆが示すＯＳＤフラグ領域Ｒｆよりも水平方向および垂直方向にそれぞれ１画面分広いＯＳＤマスク領域Ｒｍを生成するようになっている。そして、ＯＳＤマスク生成部４０は、この生成されたＯＳＤマスク領域Ｒｍを、ＯＳＤマスク信号Ｓｍとしてフレーム補間部２３に供給するようになっている。
【００４０】
図７は、表示部１７の表示画面の一例を表すものである。この例では、表示部１７の表示画面３１にＯＳＤ画面３２が表示されている。表示画面３１の画像では、ＯＳＤ画面３２の画面領域を示すＯＳＤフラグ領域Ｒｆに基づいてＯＳＤマスク生成部４０によって求められたＯＳＤマスク領域Ｒｍの外側に対してのみ、フレーム補間処理が行われる。言い換えれば、ＯＳＤマスク領域Ｒｍではフレーム補間処理が行われない。これにより、ＯＳＤ画面３２に対応する画面領域では、後述するように、フレーム補間処理に起因する映像のエラーやノイズが生じないようになっている。
【００４１】
ここで、表示装置１は、本発明における「映像表示装置」の一具体例に対応する。ＯＳＤフラグ信号Ｓｆは、本発明における「フラグ信号」の一具体例に対応する。ＯＳＤ生成部１３および映像信号処理部１４は、本発明における「重畳部」の一具体例に対応する。ＯＳＤマスク生成部４０は、本発明における「マスク生成部」の一具体例に対応する。ＯＳＤマスク領域Ｒｍは、本発明における「マスク領域」の一具体例に対応する。
【００４２】
［動作および作用］
続いて、本実施の形態の表示装置１の動作および作用について説明する。
【００４３】
（全体動作概要）
チューナ１１は、アンテナ１９において受信された放送波から、所望の信号（ストリーム）を選択する。ＭＰＥＧデコーダ１２は、チューナ１１において選択されたストリームから映像信号と音声信号とを抽出する。ＯＳＤ生成部１３は、ＯＳＤ画面を生成するとともに、ＯＳＤフラグ信号Ｓｆを生成する。映像信号処理部１４は、ＭＰＥＧデコーダ１２において抽出された映像信号に対して、所定の映像信号処理を施すとともに、ＯＳＤ生成部１３から供給されたＯＳＤ画面を重畳する。
【００４４】
フレームレート変換部２０において、ＯＳＤマスク生成部４０は、ＯＳＤフラグ信号Ｓｆ（ＯＳＤフラグ領域Ｒｆ）に基づいてＯＳＤマスク信号Ｓｍ（ＯＳＤマスク領域Ｒｍ）を生成する。フレームメモリ２１は、供給される映像信号Ｓdispの１フレーム前の情報を出力する。動きベクトル検出部２２は、供給された２つのフレームの情報に基づいて動きベクトルＡを検出する。フレーム補間部２３は、ＯＳＤマスク領域Ｒｍの外側の画面領域に対して、この動きベクトルＡに基づいてフレーム補間処理を行って補間フレームＦ２を生成し、供給された２つのフレームＦの間に挿入する。
【００４５】
映像処理部１５は、フレームレート変換部２０から供給された映像信号に対して所定の映像処理を施す。表示駆動部１６は、映像処理部１５から供給された映像情報に基づいて表示部１７を駆動する。表示部１７は、表示駆動部１６から供給される駆動信号に基づいて、表示を行う。
【００４６】
（詳細動作）
次に、いくつかの図を参照して、ＯＳＤマスク生成部４０の詳細動作を説明する。
【００４７】
図８は、ＯＳＤマスク生成部４０の一動作例を模式的に表すものである。図８は、画素Ｐixがマトリックス状に配置されている表示画面３１の一部を、ＯＳＤフラグ領域ＲｆおよびＯＳＤマスク領域Ｒｍとともに示している。
【００４８】
ＯＳＤフラグ領域Ｒｆは、ＯＳＤマスク生成部４０に入力されるＯＳＤフラグ信号Ｓｆがアクティブになっている画素Ｐixの場所（領域）を画面上で表したものである。すなわち、図８において、ＯＳＤフラグ領域Ｒｆの内側は、ＯＳＤフラグ信号Ｓｆがアクティブになっている画素Ｐixを示している。言い換えれば、ＯＳＤフラグ領域Ｒｆは、ＯＳＤ画面３２の領域を示すものである。
【００４９】
図９は、ＯＳＤマスク生成部４０の一動作例を表すものであり、（Ａ）はＯＳＤフラグ信号Ｓｆの波形を示し、（Ｂ）はＯＳＤマスク信号Ｓｍの波形を示す。この例では、ＯＳＤフラグ信号Ｓｆは、信号Ｆ１１〜Ｆ１３，Ｆ２１〜Ｆ２３，Ｆ３１〜Ｆ３３を含んでいる。信号Ｆ１１〜Ｆ１３と信号Ｆ２１〜Ｆ２３とは互いに表示画面の１ライン分離れており、信号Ｆ２１〜Ｆ２３とＦ３１〜Ｆ３３とは互いに表示画面の１ライン分離れている。この例では、信号Ｆ１１〜Ｆ１３，Ｆ２１〜Ｆ２３，Ｆ３１，Ｆ３２は低レベルであり、信号Ｆ３３は高レベル（アクティブ）となっている。これらの信号は、図８に示したＦ１１〜Ｆ１３，Ｆ２１〜Ｆ２３，Ｆ３１〜Ｆ３３と対応している。すなわち、図９においてＯＳＤフラグ信号Ｓｆが低レベルとなっているＦ１１〜Ｆ１３，Ｆ２１〜Ｆ２３，Ｆ３１，Ｆ３２は、図８においてＯＳＤフラグ領域Ｒｆの外側にあり、図９においてＯＳＤフラグ信号Ｓｆが高レベル（アクティブ）となっているＦ３３は、図８においてＯＳＤフラグ領域ＲＦの内側にある。
【００５０】
図９（Ａ）に示したＯＳＤフラグ信号ＳｆがＯＳＤマスク生成部４０に入力された場合、ＯＳＤマスク生成部４０の論理和回路４９の入力は、ＯＳＤフラグ信号Ｓｆが信号Ｆ３３のときには図６に示した状態になる。すなわち、論理和回路４９の入力のうちの１つには、信号Ｆ３３（ＯＳＤフラグ信号Ｓｆ）が入力され、論理和回路４９のその他の入力には、低レベルの信号Ｆ１１〜Ｆ１３，Ｆ２１〜Ｆ２３，Ｆ３１，Ｆ３２がラインメモリ４１，４２およびＤ型フリップフロップ４３〜４８からそれぞれ供給される。このとき、論理和回路４９の出力は高レベル（アクティブ）となり、ＯＳＤマスク生成部４０は、図９（Ｂ）に示したように、高レベル（アクティブ）のＯＳＤマスク信号Ｓｍを出力することとなる。このＯＳＤマスク信号Ｓｍが供給されたフレーム補間部２３は、図８において、Ｆ１１〜Ｆ１３，Ｆ２１〜Ｆ２３，Ｆ３１〜Ｆ３３の中心に位置するＦ２２の位置におけるＯＳＤマスク信号Ｓｍがアクティブになったと判断する。このようにして、ＯＳＤマスク信号Ｓｍがアクティブになる画素Ｐixが、図８に示したように、ＯＳＤマスク領域Ｒｍとなる。
【００５１】
この動作を表示画面３１全体にわたって繰り返すことにより、ＯＳＤマスク生成部４０は、図８に示したように、ＯＳＤフラグ領域Ｒｆよりも水平方向および垂直方向にそれぞれ１画素分広いＯＳＤマスク領域Ｒｍを生成する。すなわち、このＯＳＤマスク生成部４０は、ＯＳＤ画面３２よりも、水平方向および垂直方向にそれぞれ１画素分広いＯＳＤマスク領域Ｒｍを生成する。
【００５２】
フレーム補間部２３は、このＯＳＤマスク領域Ｒｍに基づいてフレーム補間処理を行う。すなわち、フレーム補間部２３は、このＯＳＤマスク領域Ｒｍの外側においてのみフレーム補間処理を行い、ＯＳＤマスク領域Ｒｍの内側ではフレーム補間処理を行わない。これにより、ＯＳＤマスク領域Ｒｍの内側では、フレーム補間処理に起因する映像のエラーやノイズが生じることがない。仮に、フレーム補間部２３のしくみに起因して、フレーム補間処理の際にＯＳＤマスク領域Ｒｍの内側にエラーが発生する場合でも、このフレーム補間部２３は、ＯＳＤ画面３２よりも広いＯＳＤマスク領域Ｒｍに基づいてフレーム補間処理を行っているため、ＯＳＤフラグ領域Ｒｆ（ＯＳＤ画面３２の領域）に基づいてフレーム補間処理を行う場合に比べて、ＯＳＤ画面３２でのエラーの発生を低減することができる。
【００５３】
また、一般的に、動きベクトルによるフレーム補間処理においては、異なる動きの画像領域の境界付近では、異なる動きの周囲の画素の影響を受けて動きベクトルに誤差が生じやすく、それによって異なる動きの画像領域の境界付近にフレーム補間エラーが発生するおそれがある。具体的には、例えばＯＳＤ画面が静止画であり、ＯＳＤ画面の外側が動画である場合には、ＯＳＤ画面とその外側との境界付近にエラーが発生しやすい。本実施の形態では、ＯＳＤマスク領域ＲｍをＯＳＤフラグ領域Ｒｆに比べてより大きくすることにより、このエラーのＯＳＤ画面への影響を低減することができる。
【００５４】
［効果］
以上のように本実施の形態では、ＯＳＤフラグ信号ＳｆによりＯＳＤ画面の領域を指定し、フレーム補間処理を選択的に行うようにしたので、ＯＳＤ画面の外側のみに対してフレーム補間処理を行うことができ、フレームレート変換に起因する映像のエラーやノイズを低減することができる。
【００５５】
また、本実施の形態では、ＯＳＤフラグ信号Ｓｆにより画素ごとにＯＳＤ画面の領域を指定するようにしたので、そのＯＳＤ画面の形状が複雑な場合やＯＳＤ画面が動いている場合でも、それに応じてＯＳＤ画面の外側に対してフレーム補間処理を行うことができる。具体的には、例えばＯＳＤ画面が四角形でない場合や、複雑な形状である場合、ＯＳＤ画面に枠が無く文字だけの場合、あるいはＯＳＤ画面が画面の横からスライドしてくるなど静止していない場合などにおいても、その形状に応じたフレーム補間処理を行うことができる。
【００５６】
また、本実施の形態では、ＯＳＤフラグ信号Ｓｆに基づいて生成したＯＳＤマスク信号Ｓｍに基づいてフレーム補間処理を行うようにしたので、ＯＳＤ画面の領域とは異なる領域に対してフレーム補間処理を行わないように設定することができる。特に、ＯＳＤマスク領域ＲｍをＯＳＤフラグ領域Ｒｆより大きくした場合には、ＯＳＤ画面とその外側との境界付近に発生するエラーのＯＳＤ画面への影響を低減できる。また、仮にフレーム補間処理によりＯＳＤマスク領域Ｒｍの内側にエラーが発生する場合でも、そのエラーのＯＳＤ画面への影響を低減することができる。
【００５７】
［変形例１−１］
上記実施の形態では、ＯＳＤマスク生成部４０は、ＯＳＤフラグ領域Ｒｆよりも水平方向および垂直方向にそれぞれ１画素分広いＯＳＤマスク領域Ｒｍを生成するようにしたが、これに限定されるものではなく、これに代えて、例えば、水平方向および垂直方向にそれぞれ２画素分以上広いＯＳＤマスク領域Ｒｍを生成するようにしてもよいし、水平方向および垂直方向にそれぞれ１画素分以上狭いＯＳＤマスク領域Ｒｍを生成するようにしてもよいし、水平方向と垂直方向とで広くする画素数を異なるようにしてもよい。以下にいくつかの例を挙げて説明する。
【００５８】
図１０は、ＯＳＤフラグ領域Ｒｆよりも水平方向および垂直方向にそれぞれ２画素分広いＯＳＤマスク領域Ｒｍを生成するＯＳＤマスク生成部４０Ｂの一構成例を表すものである。本変形例に係るＯＳＤマスク生成部４０Ｂでは、上記実施の形態に係るＯＳＤマスク生成部４０と比較して、各ラインメモリ４０１〜４０４に接続されるＤ型フリップフロップの数が増えるとともに、ラインメモリおよびその入力に接続されたＤ型フリップフロップにより構成されるメモリブロック４００の数が増えている。各ラインメモリに接続されるＤ型フリップフロップの数を増やすことにより、ＯＳＤフラグ領域Ｒｆよりも水平方向に広いＯＳＤマスク領域Ｒｍを生成することができる。また、メモリブロック４００の数を増やすことにより、ＯＳＤフラグ領域Ｒｆよりも垂直方向に広いＯＳＤマスク領域Ｒｍを生成することができる。これにより、水平方向と垂直方向とで広くする画素数を異なるようにすることも可能である。
【００５９】
このように、ＯＳＤマスク領域ＲｍをＯＳＤフラグ領域Ｒｆに比べてより大きくすることにより、ＯＳＤ画面とその外側との境界付近に発生するエラーのＯＳＤ画面への影響をより低減することができる。また、仮にフレーム補間処理によりＯＳＤマスク領域の内側にエラーが発生する場合でも、そのエラーのＯＳＤ画面への影響をより低減することができる。
【００６０】
図１１は、ＯＳＤフラグ領域Ｒｆよりも水平方向および垂直方向にそれぞれ１画素分狭いＯＳＤマスク領域Ｒｍを生成するＯＳＤマスク生成部４０Ｃの一構成例を表すものである。ＯＳＤマスク生成部４０Ｃは、上記実施の形態に係るＯＳＤマスク生成部４０において、論理和回路４９に代えて論理積回路４９Ｃを備えたものである。この構成により、ＯＳＤマスク生成部４０Ｃは、図１２に示したように、ＯＳＤ画面（ＯＳＤフラグ領域Ｒｆ）よりも小さいＯＳＤマスク領域Ｒｍを生成することができる。
【００６１】
［変形例１−２］
上記実施の形態では、ＯＳＤマスク生成部４０は、常に、ＯＳＤフラグ領域Ｒｆよりも水平方向および垂直方向にそれぞれ１画素分広いＯＳＤマスク領域Ｒｍを生成するようにしたが、これに限定されるものではなく、これに代えて、外部から設定を行うことにより、ＯＳＤマスク領域Ｒｍを変更できるようにしてもよい。図１３は、本変形例に係るＯＳＤマスク生成部４０Ｄの一構成例を表すものである。ＯＳＤマスク生成部４０Ｄは、図６に示した上記実施の形態に係るＯＳＤマスク生成部４０と、図１１に示した上記変形例に係るＯＳＤマスク生成部４０Ｃとを含むものである。さらに、ＯＳＤマスク生成部４０Ｄは、セレクタ４９Ｄを備えている。セレクタ４９Ｄは、外部から供給される制御信号Ｓelに基づいて、３つの入力信号（ＯＳＤフラグ信号Ｓｆ、論理和回路４９の出力信号、論理積回路４９Ｃの出力信号）のうちの一つを選択しＯＳＤマスク信号Ｓｍとして出力するものである。すなわち、セレクタ４９Ｄは、ＯＳＤフラグ信号Ｓｆを入力として選択した場合には、このＯＳＤフラグ領域Ｒｆと等しいＯＳＤマスク領域Ｒｍを示すＯＳＤマスク信号Ｓｍを出力する。また、セレクタ４９Ｄは、論理和回路４９の出力信号を入力として選択した場合には、図６に示した上記実施の形態に係るＯＳＤマスク生成部４０と同様に、ＯＳＤフラグ領域Ｒｆよりも水平方向および垂直方向にそれぞれ１画素分広いＯＳＤマスク領域Ｒｍを示すＯＳＤマスク信号Ｓｍを出力する。そして、セレクタ４９Ｄは、論理積回路４９Ｃの出力信号を入力として選択した場合には、図１１に示した上記変形例に係るＯＳＤマスク生成部４０Ｃと同様に、ＯＳＤフラグ領域Ｒｆよりも水平方向および垂直方向にそれぞれ１画素分狭いＯＳＤマスク領域Ｒｍを示すＯＳＤマスク信号Ｓｍを出力する。
【００６２】
ここで、制御信号Ｓelは、本発明における「調整設定情報」の一具体例に対応する。
【００６３】
ＯＳＤマスク領域ＲｍをＯＳＤ画面よりも広くした場合には、そのＯＳＤマスク領域Ｒｍの外側（フレーム補間処理が作用する部分）と内側（フレーム補間処理を行わない部分）との境界が目立つことによる不自然さはあるものの、ＯＳＤ画面およびその周辺のエラーが低減できる。一方、ＯＳＤマスク領域ＲｍをＯＳＤ画面よりも狭くした場合には、ＯＳＤ画面の端においてフレーム補間処理が行われるため、この部分にエラーが発生するおそれがあるものの、上述したＯＳＤ画面周辺の不自然さが改善される。すなわち、この２つは互いにトレードオフの関係にある。本変形例に示したように、制御信号Ｓelを設けることにより、この選択が可能となる。
【００６４】
［変形例１−３］
上記実施の形態では、ＯＳＤ生成部１３および映像信号処理部１４は、ＯＳＤフラグ信号Ｓｆと映像信号Ｓdispとをフレームレート変換部２０に対して別々に供給したが、これに限定されるものではなく、これに代えて、ＯＳＤフラグ信号Ｓｆと映像信号Ｓdispとを多重化して供給してもよい。以下にその例を説明する。
【００６５】
図１４は、本変形例に係る表示装置１Ｅの一構成例を表すものである。表示装置１Ｅは、映像信号処理部１４Ｅと、フレームレート変換部２０Ｅとを備えている。
【００６６】
映像信号処理部１４Ｅは、映像信号とＯＳＤフラグ信号とを多重化したＯＳＤフラグ付き映像信号Ｓdisp2を生成し、フレームレート変換部２０Ｅに対して供給する。図１５は、ＯＳＤフラグ付き映像信号Ｓdisp2の一例を表すものである。ＯＳＤフラグ付き映像信号Ｓdisp2は、ＯＳＤフラグ付き画素信号Ｓpix2を含んでいる。ＯＳＤフラグ付き画素信号Ｓpix2は、画素信号Ｓpixおよびその画素信号Ｓpixに係る画素に対応するＯＳＤフラグＯＦにより構成されている。
【００６７】
フレームレート変換部２０Ｅは、映像信号処理部１４Ｅから供給されたＯＳＤフラグ付き映像信号Ｓdisp2に基づいて、フレームレート変換を行うものである。図１６は、フレームレート変換部２０Ｅの一構成例を表すものである。フレームレート変換部２０Ｅは、ＯＳＤフラグ分離部３９を備えている。ＯＳＤフラグ分離部３９は、図１５に示したＯＳＤフラグ付き映像信号Ｓdisp2から、画素信号ＳpixとＯＳＤフラグＯＦとを分離し、図２に示した映像信号ＳdispおよびＯＳＤフラグ信号Ｓｆを生成するものである。
【００６８】
このようにＯＳＤフラグ信号Ｓｆと映像信号Ｓdispとを多重化することにより、これらの信号の相互間の同期をしやすくすることができるとともに、フレームレート変換部２０Ｅへの信号の伝送をシンプルにすることができる。
【００６９】
［変形例１−４］
上記実施の形態では、ＯＳＤ生成部１３はＯＳＤフラグ信号Ｓｆを生成したが、これに限定されるものではなく、これに代えて、例えばＯＳＤマスク信号Ｓｍを生成するようにしてもよい。図１７は、本変形例に係るフレームレート変換部２０Ｆの一構成例を表すものである。フレームレート変換部２０Ｆは、本変形例に係るＯＳＤ生成部（図示せず）から供給されるＯＳＤマスク信号Ｓｍに基づいてフレームレート変換を行うものである。本変形例に係るフレームレート変換部２０Ｆは、上記実施の形態に係るフレームレート変換部２０（図４）において、ＯＳＤマスク生成部４０を省いたものである。この場合、上記変形例１−３と同様に、ＯＳＤマスク信号Ｓｍと映像信号Ｓdispとを多重化してもよい。
【００７０】
［変形例１−５］
上記実施の形態では、フレーム補間部２３はＯＳＤマスク信号Ｓｍに基づいてフレーム補間処理を行うものとしたが、これに限定されるものではなく、これに代えて、例えば、ＯＳＤマスク生成部４０を省き、ＯＳＤフラグ信号Ｓｆに基づいてフレーム補間処理を行うようにしてもよい。
【００７１】
［変形例１−６］
上記実施の形態では、映像信号Ｓdispは、ＲＧＢのサブ画素の信号からなるシリアルデータとして構成したが、これに限定されるものではなく、ＲＧＢのサブ画素の各信号からなるパラレルデータとして構成してもよい。
【００７２】
＜２．第２の実施の形態＞
次に、本発明の第２の実施の形態に係る表示装置２について説明する。本実施の形態は、フレームレート変換部におけるフレームレート変換の方法が、上記第１の実施の形態と異なるものである。すなわち、上記第１の実施の形態（図４）では、動きベクトル検出部２２およびフレーム補間部２３は、画素単位で動きベクトルを求めてフレーム補間処理を行うが、本実施の形態では、複数の画素からなるブロック単位で動きベクトルを求めてフレーム補間処理を行う。表示装置２の構成は、フレームレート変換部を除いて、上記第１の実施の形態に係る表示装置１（図１）と同様である。なお、上記第１の実施の形態に係る表示装置１と実質的に同一の構成部分には同一の符号を付し、適宜説明を省略する。
【００７３】
［構成例］
（フレームレート変換部５０）
図１８は、フレームレート変換部５０の一構成例を表すものである。フレームレート変換部５０は、動きベクトル検出部５２と、フレーム補間部５３と、ＯＳＤマスク生成部６０とを備えている。
【００７４】
動きベクトル検出部５２およびフレーム補間部５３は、上記第１の実施の形態に係る動きベクトル検出部２２およびフレーム補間部２３と同様の動作を行うが、上記第１の実施の形態では、画素単位で処理を行うのに対して、本実施の形態では、複数の画素からなるブロック単位（画素ブロックＢpix単位）で行うようになっている。
【００７５】
図１９は、画素ブロックＢpixを模式的に表すものである。画素ブロックＢpixは、画面の水平方向にｍ画素、垂直方向にｎ画素の、計ｍ×ｎ画素により構成される。ここでｍおよびｎは１以上の自然数である。図１９に示した例では、画素ブロックＢpixは、水平方向に６画素（ｍ＝６）、垂直方向に５画素（ｎ＝５）の計３０画素により構成されている。
【００７６】
動きベクトル検出部５２は、画素ブロックＢpix単位で動きベクトルを求め、フレーム補間部５３は、画素ブロックＢpix単位でフレーム補間処理を行う。この画素ブロックＢpixが大きい（多くの画素により構成される）場合には、細かい表示内容についてその動きを検出することが難しくなり、そのフレーム補間処理ができないおそれがある。一方、この画素ブロックＢpixが小さい（少ない画素により構成される）場合には、例えば表示内容に繰り返しパターンが含まれる場合などにおいて、その動きを正確に検出できないおそれがある。画素ブロックＢpixの大きさは、これらを考慮して決定される。
【００７７】
ＯＳＤマスク生成部６０は、画素を単位としたＯＳＤフラグ領域Ｒｆ（ＯＳＤフラグ信号Ｓｆ）に基づいて、画素ブロックＢpixを単位としたＯＳＤマスク領域Ｒｍ２（ＯＳＤマスク信号Ｓｍ２）を生成するものである。すなわち、ＯＳＤマスク生成部６０は、動きベクトル検出部５２およびフレーム補間部５３が画素ブロックＢpixを単位として処理を行うことに対応して、画素ブロックＢpixを単位としたＯＳＤマスク領域Ｒｍ２を生成するようになっている。その際、ＯＳＤマスク生成部６０は、ＯＳＤマスク調整定数Ｃthに基づいて、そのＯＳＤマスク領域Ｒｍ２を調整できる機能を有している。
【００７８】
（ＯＳＤマスク生成部６０）
図２０は、ＯＳＤマスク生成部６０の一構成例を表すものである。ＯＳＤマスク生成部６０は、ラインメモリ６１（１）〜６１（ｎ−１）と、ＤＦＦブロック６２（１）〜６２（ｎ）と、カウンタ６４と、比較器６５と、メモリ６６と、タイミング発生部６７とを備えている。
【００７９】
ラインメモリ６１（１）〜６１（ｎ−１）は、上記第１の実施の形態に係るラインメモリ４１，４２と同様に、入力信号の１ライン分の情報を保持することにより、１ライン分遅延した信号を出力するものである。ラインメモリ６１（１）〜６１（ｎ−１）は直列に接続されている。ラインメモリ６１（１）の入力端子には、ＯＳＤフラグ信号Ｓｆが供給される。これにより、例えば、ラインメモリ６１（１）はＯＳＤフラグ信号Ｓｆの１ライン分遅延した信号を出力し、ラインメモリ６１（２）は、ＯＳＤフラグ信号の２ライン分遅延した信号を出力する。同様にして、ラインメモリ６１（ｎ−１）は、ＯＳＤフラグ信号の（ｎ−１）ライン分遅延した信号を出力する。
【００８０】
ＤＦＦブロック６２（１）〜６２（ｎ）は、入力信号の１ライン分の情報を保持するものである。ＤＦＦブロック６２（１）の入力端子には、ＯＳＤフラグ信号Ｓｆが供給される。ＤＦＦブロック６２（２）〜６２（ｎ）の入力端子は、ラインメモリ６１（１）〜６１（ｎ−１）の出力端子にそれぞれ接続されている。
【００８１】
ＤＦＦブロック６２（１）〜６２（ｎ）のそれぞれは、Ｄ型フリップフロップ６３（１）〜６３（ｍ−１）を有している。このＤ型フリップフロップ６３（１）〜６３（ｍ−１）は、上記第１の実施の形態に係るＤ型フリップフロップ４３〜４８と同様に、入力信号の１画素分の情報を保持することにより、１画素分遅延した信号を出力するものである。
【００８２】
この構成により、ＤＦＦブロック６２（１）〜６２（ｎ）のそれぞれでは、ラインごとに、水平方向にｍ画素分のＯＳＤフラグ信号が保持される。すなわち、ＤＦＦブロック６２（１）〜６２（ｎ）では、画素ブロックＢpixに対応するｍ×ｎ画素分のＯＳＤフラグ信号が保持される。
【００８３】
カウンタ６４は、ＤＦＦブロック６２（１）〜６２（ｎ）から供給されるｍ×ｎ画素分のＯＳＤフラグ信号のうち、アクティブになっているものの数を求め、カウント値Ｃntとして出力する機能を有している。
【００８４】
比較器６５は、カウンタ６４から供給されたカウント値Ｃntと、ＯＳＤマスク調整定数Ｃthとを比較するものである。具体的には、比較器６５は、カウント値ＣntがＯＳＤマスク調整定数Ｃthよりも大きい場合には高レベル（アクティブ）を出力し、カウント値ＣntがＯＳＤマスク調整定数Ｃth以下である場合には低レベルを出力するようになっている。
【００８５】
メモリ６６は、比較器６５から供給される比較結果を保持するものである。タイミング発生部６７は、メモリ６６の書き込みや読み出しを制御するものである。タイミング発生部６７は、画素ブロックＢpix単位でライトイネーブル信号ＷＥを発生する。メモリ６６は、このライトイネーブル信号ＷＥに基づいて、比較器６５から供給される比較結果を書き込むようになっている。なお、メモリ６６は、タイミング発生部６７から供給されたライトアドレス信号ＷＡＤによって指示されたメモリアドレスに対して上述した書き込みを行う。
【００８６】
そしてメモリ６６は、タイミング発生部６７から供給されたリードアドレス信号ＲＡＤによって指示されたメモリアドレスに保持されたデータをＯＳＤマスク信号Ｓｍ２として出力するようになっている。
【００８７】
ここで、表示装置２は、本発明における「映像表示装置」の一具体例に対応する。ＯＳＤマスク調整定数Ｃthは、本発明における「画素数しきい値」の一具体例に対応する。
【００８８】
［動作および作用］
図２１は、ＯＳＤマスク生成部６０の一動作例を表すものであり、（Ａ）はＯＳＤフラグ領域Ｒｆを示し、（Ｂ）〜（Ｅ）はＯＳＤマスク領域Ｒｍ２を示す。この例では、画素ブロックＢpixは、３０個の画素Ｐixにより構成されている。図２１おいて、（Ｂ）はＯＳＤマスク調整定数Ｃthが０の場合を示し、（Ｃ）はＯＳＤマスク調整定数Ｃthが３の場合を示し、（Ｄ）はＯＳＤマスク調整定数Ｃthが８の場合を示し、（Ｅ）はＯＳＤマスク調整定数Ｃthが２９の場合を示す。
【００８９】
ＯＳＤマスク生成部６０に供給されるＯＳＤフラグ領域Ｒｆは、図２１（Ａ）に示したように、画素単位でＯＳＤ画面の表示領域を示すものである。このようなＯＳＤフラグ領域Ｒｆが供給されたときに、ＯＳＤマスク生成部６０は、図２１（Ｂ）〜（Ｅ）に示したように、ＯＳＤマスク調整定数Ｃthに基づいて、ＯＳＤマスク領域Ｒｍ２を生成する。
【００９０】
ＯＳＤマスク調整定数Ｃthが０の場合には、ＯＳＤマスク生成部６０の比較器６５は、各画素ブロックＢpixにおいて、ＯＳＤフラグ信号がアクティブになっている画素数が０より大きいときに、その画素ブロックＢpixに対してＯＳＤマスク信号をアクティブにする。言い換えれば、ＯＳＤマスク生成部６０は、図２１（Ａ），（Ｂ）に示したように、１つ以上の画素がＯＳＤフラグ領域Ｒｆに設定されている画素ブロックＢpixをＯＳＤマスク領域Ｒｍ２に設定する。
【００９１】
ＯＳＤマスク調整定数Ｃthが３の場合には、同様に、ＯＳＤマスク生成部６０は、図２１（Ａ），（Ｃ）に示したように、４つ以上の画素がＯＳＤフラグ領域Ｒｆに設定されている画素ブロックＢpixをＯＳＤマスク領域Ｒｍ２に設定する。
【００９２】
ＯＳＤマスク調整定数Ｃthが８の場合には、同様に、ＯＳＤマスク生成部６０は、図２１（Ａ），（Ｄ）に示したように、９つ以上の画素がＯＳＤフラグ領域Ｒｆに設定されている画素ブロックＢpixをＯＳＤマスク領域Ｒｍ２に設定する。
【００９３】
そして、ＯＳＤマスク調整定数Ｃthが２９の場合には、同様に、ＯＳＤマスク生成部６０は、図２１（Ａ），（Ｅ）に示したように、３０個全ての画素がＯＳＤフラグ領域Ｒｆに設定されている画素ブロックＢpixをＯＳＤマスク領域Ｒｍ２に設定する。
【００９４】
以上に示したように、ＯＳＤマスク生成部６０では、供給されたＯＳＤマスク調整定数Ｃthにより、ＯＳＤマスク領域Ｒｍ２を調整することができる。ＯＳＤマスク調整定数Ｃthが０の場合には、図２１（Ａ）に示したように、ＯＳＤマスク領域Ｒｍ２は、ＯＳＤフラグ領域Ｒｆと等しいか、それよりも大きくなるものであり、いわば“切り上げ方式”である。この方式は、上記第１の実施の形態に係るＯＳＤマスク生成部４０（図６）の方式と同様である。一方、ＯＳＤマスク調整定数Ｃthが２９の場合には、図２１（Ｅ）に示したように、ＯＳＤマスク領域Ｒｍ２は、ＯＳＤフラグ領域Ｒｆと等しいか、それよりも小さくなるものであり、いわば“切り捨て方式”である。この方式は、上記第１の実施の形態の変形例に係るＯＳＤマスク生成部４０Ｃ（図１１）の方式と同様である。
【００９５】
なお、図２１には示していないが、ＯＳＤマスク調整定数Ｃthが１５の場合には、ＯＳＤマスク生成部６０は、１６以上（つまり過半数）の画素がＯＳＤフラグ領域Ｒｆに設定されている画素ブロックＢpixをＯＳＤマスク領域Ｒｍ２に設定する。これは、いわば“多数決方式”である。
【００９６】
このようにして、表示装置２では、ＯＳＤマスク領域Ｒｍ２の大きさを調整することができる。ＯＳＤマスク領域Ｒｍ２をＯＳＤ画面よりも広くした場合には、ＯＳＤ画面およびその周辺のエラーが低減できるが、そのＯＳＤマスク領域Ｒｍの外側（フレーム補間処理が作用する部分）と内側（フレーム補間処理を行わない部分）との境界が目立つことによる不自然さが生じる。一方、ＯＳＤマスク領域Ｒｍ２をＯＳＤ画面よりも狭くした場合には、ＯＳＤ画面の端においてフレーム補間処理が行われるため、この部分にエラーが発生するおそれがある。すなわち、この２つは互いにトレードオフの関係にある。表示装置２では、ＯＳＤマスク領域Ｒｍ２をＯＳＤマスク調整定数Ｃthにより調整できるようにしたので、表示装置の設計方針により、あるいは、ユーザの好みや視聴している画像の性質などにより、ＯＳＤ画面およびその周辺のエラーを低減できるようにするなど、より最適に調整することが可能となる。
【００９７】
フレーム補間部５３は、このＯＳＤマスク領域Ｒｍ２に基づいて、画素ブロックＢpix単位でフレーム補間処理を行う。すなわち、フレーム補間部５３は、このＯＳＤマスク領域Ｒｍ２の外側においてのみフレーム補間処理を行い、ＯＳＤマスク領域Ｒｍ２の内側ではフレーム補間処理を行わない。これにより、ＯＳＤマスク領域Ｒｍ２の内側では、フレーム補間処理に起因する映像のエラーやノイズが生じることがない。
【００９８】
［効果］
以上のように本実施の形態では、画素単位のＯＳＤフラグ領域Ｒｆに基づいて、画素ブロックＢpix単位のＯＳＤマスク領域Ｒｍ２を生成するようにしたので、フレーム補間処理が画素ブロックＢpix単位で行われる場合であっても、そのフレーム補間処理を行わない領域（マスク領域）の指示をシンプルに行うことができる。その他の効果は、上記第１の実施の形態の場合と同様である。
【００９９】
また、本実施の形態では、ＯＳＤマスク領域Ｒｍ２をＯＳＤマスク調整定数Ｃthにより調整できるようにしたので、表示装置の設計方針により、あるいは、ユーザの好みや視聴している画像の性質などにより、ＯＳＤ画面およびその周辺のエラーを低減できるようにするなど、より最適に調整することが可能となる。
【０１００】
その他の効果は、上記第１の実施の形態の場合と同様である。
【０１０１】
上記実施の形態では、上記第１の実施の形態と同様に、ＯＳＤ生成部１３および映像信号処理部１４は、ＯＳＤフラグ信号Ｓｆと映像信号Ｓdispとを多重化してフレームレート変換部に対して供給するようにしてもよい。
【０１０２】
上記実施の形態では、上記第１の実施の形態と同様に、ＯＳＤ生成部１３は、ＯＳＤマスク信号Ｓｍ２を生成するようにしてもよい。
【０１０３】
＜３．第３の実施の形態＞
次に、第３の実施の形態に係る表示装置３について説明する。本実施の形態は、ＯＳＤ生成部からフレーム補間部に対して、画面上におけるＯＳＤ画面の領域を伝える方法が、上記第１および第２の実施の形態と異なる。すなわち、本実施の形態では、画面上における座標を用いて、ＯＳＤ画面の領域を伝えるものである。その他の構成は、上記第１の実施の形態（図１）などと同様である。なお、上記第１および第２の実施の形態に係る表示装置と実質的に同一の構成部分には同一の符号を付し、適宜説明を省略する。
【０１０４】
図２２は、本実施の形態に係るフレームレート変換部７０の一構成例を表すものである。フレームレート変換部７０は、フレーム補間部７３を備えている。フレーム補間部７３は、本実施の形態に係るＯＳＤ生成部（図示せず）から供給されるＯＳＤ座標信号Ｓｃに基づいてフレームレート変換を行うものである。具体的には、ＯＳＤ座標信号Ｓｃは、例えば、ＯＳＤ画面の角の座標（ＯＳＤ画面３２が四角形の場合には四隅の座標）を示すものであり、フレーム補間部７３は、この座標情報に基づいて画面上におけるＯＳＤ画面の領域を求め、そのＯＳＤ画面の外側に対してのみフレーム補間処理を行うようになっている。
【０１０５】
ここで、表示装置３は、本発明における「映像表示装置」の一具体例に対応する。ＯＳＤ座標信号Ｓｃは、本発明における「座標情報」の一具体例に対応する。
【０１０６】
以上のように本実施の形態では、ＯＳＤ座標信号ＳｃによりＯＳＤ画面の領域を指定し、フレーム補間処理を選択的に行うようにしたので、シンプルな構成でフレームレート変換に起因する映像のエラーやノイズを低減することができる。
【０１０７】
以上、いくつかの実施の形態および変形例を挙げて本発明を説明したが、本発明はこれらの実施の形態等には限定されず、種々の変形が可能である。
【０１０８】
例えば、上記第１および第２の各実施の形態では、ＯＳＤフラグ信号ＳｆおよびＯＳＤマスク信号Ｓｍ，Ｓｍ２は、その信号レベルが高レベルである場合をアクティブとしたが、これに限定されるものではなく、これに代えて、例えば低レベルである場合をアクティブとしてもよい。
【０１０９】
また、例えば、上記第２の実施の形態では、画素ブロックＢpixは、３０個（ｍ＝６およびｎ＝５）の画素Ｐixにより構成したが、これに限定されるものではなく、これに代えて、例えば、２９個以下の画素Ｐixにより構成しても良いし、３１個以上の画素Ｐixにより構成してもよい。
【符号の説明】
【０１１０】
１，１Ｅ，２，３…表示装置、１１…チューナ、１２…ＭＰＥＧデコーダ、１３…ＯＳＤ生成部、１４…映像信号処理部、１５…映像処理部、１６…表示駆動部、１７…表示部、１９…アンテナ、２０，２０Ｅ，２０Ｆ，５０，７０…フレームレート変換部、２１…フレームメモリ、２２，５２…動きベクトル検出部、２３，５３，７３…フレーム補間部、３１…表示画面、３２…ＯＳＤ画面、３９…ＯＳＤフラグ分離部、４０，４０Ｂ，４０Ｃ，４０Ｄ，６０…ＯＳＤマスク生成部、４１，４２，６１（１）〜６１（ｎ−１）…ラインメモリ、４３〜４８，６３（１）〜６３（ｍ−１）…Ｄ型フリップフロップ、４９，４２０…論理和回路、４９Ｃ…論理積回路、４９Ｄ…セレクタ、６２（１）〜６２（ｎ）…ＤＦＦブロック、６４…カウンタ、６５…比較器、６６…メモリ、６７…タイミング発生部、４００…メモリブロック、Ａ…動きベクトル、Ｂ…ベクトル、Ｂpix…画素ブロック、Ｃnt…カウント値、Ｃth…ＯＳＤマスク調整定数、Ｆ…フレーム、Ｆ２…補間フレーム、Ｆ１１〜Ｆ１３，Ｆ２１〜Ｆ２３，Ｆ３１〜Ｆ３３…信号、ＯＦ…ＯＳＤフラグ、Ｐix…画素、ＲＡＤ…リードアドレス信号、Ｒｆ…ＯＳＤフラグ領域、Ｒｍ，Ｒｍ２…ＯＳＤマスク領域、Ｓdisp…映像信号、Ｓdisp2…ＯＳＤフラグ付き映像信号、Ｓel…制御信号、Ｓｆ…ＯＳＤフラグ信号、Ｓｍ，Ｓｍ２…ＯＳＤマスク信号、Ｓpix…画素信号、Ｓpix2…ＯＳＤフラグ付き画素信号、ＷＡＤ…ライトアドレス信号、ＷＥ…ライトイネーブル信号。
【図１】
0005614098.tif 000002
【図２】
0005614098.tif 000003
【図３】
0005614098.tif 000004
【図４】
0005614098.tif 000005
【図５】
0005614098.tif 000006
【図６】
0005614098.tif 000007
【図７】
0005614098.tif 000008
【図８】
0005614098.tif 000009
【図９】
0005614098.tif 000010
【図１０】
0005614098.tif 000011
【図１１】
0005614098.tif 000012
【図１２】
0005614098.tif 000013
【図１３】
0005614098.tif 000014
【図１４】
0005614098.tif 000015
【図１５】
0005614098.tif 000016
【図１６】
0005614098.tif 000017
【図１７】
0005614098.tif 000018
【図１８】
0005614098.tif 000019
【図１９】
0005614098.tif 000020
【図２０】
0005614098.tif 000021
【図２１】
0005614098.tif 000022
【図２２】
0005614098.tif 000023